(57)【要約】【課題】２回結像系の屈曲光学式のアタッチメント光学系を撮影機器に装着した際に、撮影機器に備わっている発光手段を用いて近接撮影時の補助照明が行なえる撮影装置を達成する。【解決手段】発光手段と撮影光学系とその前方に着脱可能な光軸を反射部材により偏向させる作用を有する屈曲光学式のアタッチメント光学系を配置しアタッチメント光学系の屈曲方向を発光手段の配置側にする。【選択図】図２
2014215337.tif 000002
【特許請求の範囲】
【請求項１】
発光手段と、
撮影光学系と、
前記撮影光学系の前方に着脱可能なアタッチメント光学系と、
該アタッチメント光学系の主光軸をその主光軸を挟んで前記発光手段側に偏向させる光軸偏向光学系で構成されたことを特徴とする撮影装置。
【請求項２】
前記アタッチメント光学系の側方には前記発光手段光線を撮影被写体側に反射させる反射部材を備えていることを特徴とする請求項１に記載の撮影装置。
【請求項３】
前記アタッチメント光学系は前記撮影光学系に装着された際、複数回の結像を行なうような光学系であることを特徴とする請求項２に記載の撮影装置。
【請求項４】
前記反射部材は、アタッチメント光学系の鏡筒に着脱可能であることを特徴とする請求項２に記載の撮影装置。
【請求項５】
前記反射部材は、回転可動であることを特徴とした請求項４に記載の撮影装置。
【請求項６】
前記反射部材は湾曲部を有することを特徴とした請求項２に記載の撮影装置。
【請求項７】
前記反射部材の湾曲部は楕円の円弧形状を有していることを特徴とした請求項６に記載の撮影装置。
【発明の詳細な説明】
【技術分野】
【０００１】
本発明は、例えばストロボのような発光手段を備えているデジタルコンパクトカメラやビデオカメラのような撮影機器に関する。
【０００２】
具体的には前記撮影光学系と合成して２回結像を行って撮影像を形成する屈曲光学系方式のアタッチメント光学系を用いたマクロ撮影に好適な撮影装置に関するものである。
【背景技術】
【０００３】
近年のデジタルカメラにおいてはカメラ内に補助光手段としてストロボが備えられているものが一般化している。
【０００４】
しかしながら、超近接撮影を行なうために撮影機器の前面にアタッチメント光学系を装着した際においては、被写体位置がカメラ内に備えられたストロボの配光角度外になってしまい、アタッチメント光学系鏡筒が前記ストロボ光を遮ってしまい良好な撮影像を得ることが出来ないものであった。
【０００５】
上記した問題を解決するものとしては、例えば特許文献１は、ストロボ全体を回転させると同時に反射板を用いることでストロボの発光光線を偏向させて被写体への照射位置をより撮影光学系から遠ざけるような提案を行なっている。
【先行技術文献】
【特許文献】
【０００６】
【特許文献１】特開２００１−２７２７１６号公報
【発明の概要】
【発明が解決しようとする課題】
【０００７】
しかしながら、特許文献１で提案されている撮影装置はバウンス効果を得るためのものでありマクロ撮影には適さないものである。
【０００８】
そこで本発明の目的は、超広角で超近接撮影が行なえる２回結像系のアタッチメント光学系を撮影装置に装着した際に、簡素な構成ながら超近接撮影時に撮影補助光を被写体の正面方向に効率良く照射することで良好な画像を得られるような撮影装置を達成することである。
【課題を解決するための手段】
【０００９】
上述の目的を達成するためには、撮影装置に備えられる発光手段と撮影光学系と前記撮影光学系の前方に着脱可能なアタッチメント光学系で構成され、アタッチメント光学系は撮影光学系の主光軸をその主光軸を挟んで発光手段側に偏向させる光軸偏向部を設ける。
【発明の効果】
【００１０】
本発明によれば、撮影機器の前方に屈曲光学式のアタッチメント光学系を装着して近接撮影を行なう事で、撮影機器に備えられた照明装置を用いて良好な画像が得られるような簡素な撮影装置を達成することが出来る。
【図面の簡単な説明】
【００１１】
【図１】アタッチメント光学系鏡筒の側面に反射板を配置した正面方向の概略図である。
【図２】アタッチメント光学系鏡筒の側面に平面の反射板を配置した側面方向の概略図である。
【図３】アタッチメント光学系鏡筒の側面に傾斜させた平面の反射板を配置した側面方向の概略図である。
【図４】アタッチメント光学系鏡筒の側面に一部楕円面形状を有した反射板を配置した側面方向の概略図である。
【図５】撮影光学系にアタッチメント光学系鏡筒を接続した状態の光学構成図である。
【発明を実施するための形態】
【００１２】
以下、本発明の実施の形態を図面に基づいて説明する。
【００１３】
図１〜図４は、本実施の形態に係わる撮影装置の構成例である。ここではコンパクトデジタルカメラを用いてその撮影光学系の物体側に本発明のアタッチメント光学系の装着を行った状態の例を示している。
【００１４】
図１はアタッチメント光学系鏡筒の側面に反射板を配置した正面方向被写体側の概略図であり、図２〜４は側面方向の概略図である。
【００１５】
図１においては、カメラ１は撮影光学系鏡筒及びストロボ３が備わっている。そしてカメラ１の撮影光学系鏡筒、又はアタッチメント光学系鏡筒取り付け中間部材１ａの前面部にアタッチメント光学系鏡筒２をネジ等で装着を行なっている。
【００１６】
ここで言うアタッチメント光学系鏡筒取り付け中間部材とはアタッチメントレンズの自重により光学系鏡筒のたわみを防止するためにリング状の部材の一方をカメラ１の本体前面部に装着して他方にアタッチメント光学系鏡筒２を取り付けて撮影光学系鏡筒に負荷をかけないようにするものである。
【００１７】
そして反射板６にはアタッチメント光学系鏡筒２に装着するための着脱可能な反射板取り付け部材６ｂが備わっている。
【００１８】
また反射板取り付け部材６ｂには反射板６の回転手段を有するようにすると被写体の位置や距離に応じて反射板６の傾きを変更できるためより良好な画像を得ることができる。
【００１９】
図２〜４は、カメラ１に備わっている撮影光学系鏡筒、又はアタッチメント光学系鏡筒取り付け中間部材１ａにアタッチメント光学系鏡筒２を装着して副光軸５ａ上の被写体７を撮影している状態を表している。
【００２０】
ここでアタッチメント光学系鏡筒２の側面に平面の反射板６をアタッチメント光学系鏡筒２の側面に被写体７に反射面を向けるように配置している（反射板取り付け部材６ｂは省略している）。
【００２１】
そしてストロボから照射される光線の代表的なものとしてストロボのキセノン管の中心位置を発光中心４としており、そこから照射された光線の進行状態を示している。
【００２２】
ここでアタッチメント光学系はその主光軸５に対して発光手段であるストロボ３の位置する側に副光軸５ａが延出する様に光軸偏向手段２ａを設けている。
【００２３】
更にアタッチメント光学系鏡筒２にはストロボ３の配光を調整する部材である反射板６が設けられている、そのことを図２を用いて説明する。
【００２４】
図２は平面形状の反射板６を副光軸５ａに直交するように配置した最も簡素な構成である。
【００２５】
ここでストロボ３の発光中心４から発せられた発光光線８は本来ではカメラ１の下方の照射されるものが反射板６に反射され被写体７に照射されている状態となっており、反射板６が無い状態では相当に深い角度（斜め方向からの角度）でしか被写体７の正面に照射されなかった発光光線８が浅い角度（正面光に近い角度）で照明されるため被写体７を照明するには発光強度を強めなくとも充分な補助照明光を得ることができる。
【００２６】
図３は平面形状の反射板を例えば前記した反射板をアタッチメント光学系に対して相対的に回転させる回転手段６ａを用いて傾きを与え、ストロボ３からの発光光線を図２に状態に対してより被写体７の正面の浅い角度で照明を行なえるようにしたものである。
【００２７】
図４は図３の状態から反射板６の先端方向を湾曲させて、被写体７の正面にストロボ３からの発光光線８が集光するような反射偏向作用を有したものである。
【００２８】
ここで効率良く集光作用を行なわせるためには反射板６の湾曲面を楕円の円弧形状として、その楕円形状は第１焦点位置をストロボ３の発光中心４として楕円の第２焦点位置を撮影する被写体７の近傍に設定されるようなものが好ましい。
【００２９】
それにより第１焦点位置から発光された光線が第２焦点位置に集光される楕円の特徴を生かして被写体７に効率の良い照明効果が得られることになる。
【００３０】
また反射板６には湾曲形状を自在に変化が行なえるような素材や構造であれば、被写体の大きさや距離の変化に対して幅広い適応が可能であるものが達成される。
【００３１】
また、カメラ１の露出特性やストロボ３の発光強度特性や配光特性に変化が与えられる場合はアタッチメント光学系鏡筒２の装着されている反射板６の反射特性や配光特性をカメラ１に伝達して自動的にカメラ１が最適な露出条件をセットするような機構を入れるか、簡略な手動操作でカメラ１内に露出条件を変更することが出来ればより良好な画像を得るような撮影が行なえることとなる。
【００３２】
図５は、本発明における撮影光学系とそれに装着されることで２回結像を行なうような屈曲光学式のアタッチメント光学系の一例を示した光学構成図である。図５中で撮影光学系ＭＬの物体側に１回結像光学系であるアタッチメント光学系ＡＴを装着した撮像装置の光路図である。撮影光学系ＭＬの変倍位置が望遠端状態においての光路図を示している。
【００３３】
撮影光学系ＭＬは変倍光学系であり、物体側から順に、正レンズ群ＭＢ１、負レンズ群ＭＢ２、正レンズ群ＭＢ３、正レンズ群ＭＢ４からなる４群構成を有する。撮影光学系ＭＬは、各レンズ群間隔を変化させて変倍作用を行なうと同時に結像面の位置変化がないように各レンズ群移動を行なう。また、撮影光学系ＭＬは、図１のレンズ群ＭＢ４を光軸方向に移動させることでフォーカス作用を行なう。
【００３４】
また、１回結像光学系ＡＴは、物体側から順に、対物光学系Ｌ、フィールドレンズ群Ｆ及び補正レンズ群Ｈを有する。全体として正の屈折力を有する対物光学系Ｌは、負の屈折力の前レンズ群Ｂ１と正の屈折力の後レンズ群Ｂ２から構成され、Ｂ１とＢ２の間には光軸方向を９０°偏向させるように光軸偏向手段である反射部材ＭＲが配置されている。次にフィールドレンズ群Ｆは、対物光学系Ｌの結像位置近傍に配置されて正の屈折力を有する。補正レンズ群Ｈは、正の屈折力を有し、対物光学系Ｌが結像する空中像を撮影光学系ＭＬの結像面ＩＰの位置に焦点を合わせる機能を有する。ＳＰは虹彩絞り、ＦＩＬは赤外カットやローパス等のフィルタ類、ＩＰは結像面を示す。
【００３５】
以上述べた手段を用いることにより、アタッチメント光学系を撮影装置に装着した際にも、撮影装置に備えられた発光手段を用いて良好な超近接撮影が行なえる撮影装置が達成される。
【００３６】
但し、発光手段は必ずしも撮影装置に内蔵された物に限定されるものでは無く、外付け方式であっても対応が可能なものである。
【００３７】
以上述べた手段は、発光手段を備えたコンパクトデジタルカメラの他に一眼レフカメラやビデオカメラ等の撮影装置にも応用できるものである。 
【符号の説明】
【００３８】
１  ．カメラ
１ａ．撮影光学系鏡筒、又はアタッチメント光学系鏡筒取り付け中間部材
２  ．アタッチメント光学系鏡筒
２ａ．光軸偏向手段
３  ．ストロボ
４  ．発光中心（図４では楕円の第１焦点位置でもある。）
５  ．主光軸
５ｂ．副光軸
６  ．反射板
６ａ．楕円面
６ｂ．反射板取り付け部材
７  ．被写体
８  ．発光光線
９  ．楕円の第２焦点位置
ＡＴ   アタッチメント光学系
ＭＬ   撮影光学系
Ｌ     対物光学系
Ｂ１   前群
Ｂ２   後群
Ｆ     フィールドレンズ群
Ｈ     正レンズ群
ＭＢ１ 第１レンズ群
ＭＢ２ 第２レンズ群
ＭＢ３ 第３レンズ群  
ＭＢ４ 第４レンズ群
ＭＲ   反射部材
ＳＰ   虹彩絞り
ＦＩＬ フィルタ類
ＩＰ   結像面
【図１】
2014215337.tif 000003
【図２】
2014215337.tif 000004
【図３】
2014215337.tif 000005
【図４】
2014215337.tif 000006
【図５】
2014215337.tif 000007